(57)【要約】      （修正有）【課題】締め付け強度の向上、軽量化、および作業性の向上を満たし、なおかつ経済的なはた金の提供。【解決手段】はた金型の締め具において、その主杆軸１にねじ溝６を切ることにより、摺動あごの位置調整が容易なものとなり、固定も自動的に行えるため作業効率が向上する。構造自体が単純なため、複軸とすることも容易で、締め付け強度の向上、軽量化などの利点もある。主杆軸には一般に広く流通している長ねじの利用が可能で、破損時には交換や、使用状況に応じた軸材の選択も可能となり、経済的である。主杆軸のねじを利用して、締め具自身の固定や他のねじ部材との共用も可能になり、支持金物など、はた金以外の用途にも応用できる。【選択図】図１
2009269160.tif 000002
【特許請求の範囲】
【請求項１】
主に物を締め付けて固定することを目的とした、はた金型の万力において、主杆軸（１）の全体もしくはその一部に、ねじ溝（６）を切ったことを特徴とするはた金。
【請求項２】
主杆軸（１）を平面的に複数本並列させた、請求項１のはた金。
【請求項３】
主杆軸（１）を立体的に複数本並列させた、請求項１のはた金。
【請求項４】
各部品が用途に応じて取り替えできる、請求項１のはた金。
【請求項５】
はた金の摺動あご（５）の主杆軸（１）が貫通する穴（８）に設けた突起（９）が、主杆軸（１）に切ったねじ溝（６）とかみ合うことで、主杆軸（１）に固定される機構を持った、請求項１のはた金。
【請求項６】
物の支持、吊り下げを目的とした請求項１のはた金。
【発明の詳細な説明】
【技術分野】
【０００１】
この発明は主に木工の作業において、部品の接着時の固定や組み立ての際の締め付けのために使用する、はた金に関するものである。
【背景技術】
【０００２】
現在使われているはた金は、原型（例として、実明７８３３号）を基にして、大きな変化は無く、主杆軸は鋼製角型柱状で、一本で使われるものが主流である。主杆軸が並列して複数本のもの（例として、特明２６９３０号）は、製品としてはほとんど見られない。
【０００３】
一方、はた金の摺動あごは、締め付ける材料・部品の大きさに合わせて位置を決めるために、主杆軸に固定する必要が有るが、ねじにより主杆軸に固定するもの（例として前述の、実明７８３３号）が主流であり、固定力を上げるために、主杆軸にねじの先端がひっかかるような凹部を設けているものもある。また摺動あごがねじを用いずに自動的に主杆軸に固定できる仕組みとして、あごに設けた凸部が主杆軸に設けた凹部に引っ掛かるようなもの（例として、実公昭３５−０２４５００号）や、あご内に設けた圧止板が主杆軸をこじる状態になって固定できるもの（例として、実公昭３６−０１３７００号）などがあり、一部は製品としても見られる。
【０００４】
主杆軸自体の長さを変える考え方としては、軸方向に複数本に分割させ、継ぎ足したり取り外したりして長さが変えられるようなもの（例として、実公昭３５−０１１４９８号）があるが、実情としては用途に合わせて主杆軸長さの違うはた金を何種類も用意して使い分けているケースがほとんどである。
【０００５】
また、はた金装着時の姿勢の安定について、特に工夫をしている製品は、ほとんど見られない。
【特許文献１】実明７８３３号公報
【特許文献２】特明２６９３０号公報
【特許文献３】実公昭３５−０２４５００号公報
【特許文献４】実公昭３６−０１３７００号公報
【発明の開示】
【発明が解決しようとする課題】
【０００６】
はた金の摺動あごは、締め付ける材料・部品の大きさに合わせて位置を決め、主杆軸に固定出来る必要が有るが、ねじにより主杆軸に固定するものは作業性が悪く、また滑動により固定力が不十分であったり、過剰な締め付けをするあまり、ねじ山を破損してしまうことがあった。主杆軸に引っ掛かりのための凹部を設けているものは、材料の大きさにあった適当な位置への固定が制限されるものであった。主杆軸が複数のものが見られない原因としては、この上記固定部分がより複雑になり、重量や作業性においてのデメリットのほうが先に立つと思われる。摺動あごの固定機構の単純化は大きな課題である。
【０００７】
主杆軸が単軸のものは、強度が不足して十分な締め付け力が得られなかったり、強度を上げるために主杆軸の断面積を大きくした結果、重く扱いにくいものとなった。一般に、はた金は複数で使用することが多く、締め付け力を減ずることなく軽量化することも大きな課題である。
【０００８】
また、主杆軸は、用途に合わせて長さが調整出来ないため、幾種類もの大きさのはた金を揃える必要が有った。また、部分的な破損の場合も各部品が交換できず、不経済なものであった。経済性が課題となることはもちろんである。
【０００９】
一方、はた金は、重量式や固定式の万力などと比べ、軽く自由に動かせる利点があるが、締め付け時の姿勢の安定に関してはあまり考慮されておらず、締め付ける対象物とのバランスが悪い場合、作業性が低下した。締め付け時の安定性についても課題として考慮したい。
【課題を解決するための手段】
【００１０】
はた金の主杆軸（１）の全体もしくはその一部に、ねじ溝（６）を切る。締め付けの力がかかったときには自動的に、摺動あご（５）の貫通穴（８）がねじ溝（６）に引っ掛かり、しっかりと固定が出来る。また、この貫通穴（８）の内部にも突起（９）を設けることで、摺動あご（５）の固定力は向上する。材料の大きさにあった適当な位置への固定も、ねじ溝（６）に倣い、細かいピッチで調整が可能となった。
【００１１】
この摺動あご（５）は造りが単純で、軸への締め付け機構などが不必要なため、複軸とすることも容易で、単軸の場合の断面積を複数本の軸のそれに分散させることにより、同重量でも曲げに対する強度は向上し、締め付け力も向上する。また、同程度の締め付け力を期待する場合、複数本に分散させることにより合計断面積が小さくて済み、軽量化も可能となった。複軸の場合は、主杆軸（１）の並列の形状（例えば三本軸で三角柱状）により、締め付け力のバランス調整や、軸のねじれ防止、姿勢の安定など、様々な工夫が出来る。
【００１２】
また主杆軸（１）に利用できる長ねじは、長さや径、材質など一般的に種類が豊富に流通しているため、破損による交換や用途に合わせた選択も容易で経済的である。軸材の選択は鉄製の他、アルミニウム製、ステンレス製、各種合金製、プラスチック製など種類が豊富であり、ねじ用の部材も同様に各種利用することができることから、例えば長ナットなどを使えば長さ方向の継ぎ足しなども可能となる。バランスの悪いものを締め付ける際には、主杆軸（１）のねじにより、はた金自体を安定した場所へ固定させることも容易で、作業性も向上する。このことにより、はた金の目的だけでなく、吊り下げや、持ち出しの固定などを目的とした支持金物としても利用できる。このように、はた金の主杆軸（１）にねじ溝（６）を切ることで、様々な課題が解決できる
【発明の効果】
【００１３】
本発明により、締め付け部の部材の軸への固定が極めて単純に行われ、複軸とすることも容易で、締め付け力の向上、軽量化、もって作業性の向上が期待できる。また、軸材料は一般的に広く流通している長ねじが利用可能で、破損の場合や、用途に合わせて容易に交換できることから、経済的であり、バリエーションも広がる。ねじ関連部材との共用で、これまでのはた金の域を超えた利用形態が期待できる。
【発明を実施するための最良の形態】
【００１４】
本発明の実施形態は、図１を参照して以下の通りである。材を締め付けるためのねじ（３）を直行方向に支持した固定部材（２）を主杆軸（１）の一端に固定し、固定対象物を締め付ける摺動あご（４、５）はお互いの締め付け面（７）が向き合う形で主杆軸（１）を貫通させて取り付ける。主杆軸（１）にはその一部、または全部にねじ溝（６）を切っておく。摺動あごの一方（４）をねじ（３）の先端にあてがい、ねじ（３）により部材の締め付け、開放の用をなす。主杆軸（１）は複数本並列させることが望ましい。主杆軸（１）に切ったねじ溝（６）が固定対象物を損傷させる恐れがあるため、ビニールパイプなどの養生材に主杆軸（１）を通し使用することも効果的である。
【実施例１】
【００１５】
摺動あご（５）の貫通穴（８）には、ねじ溝（６）に合わせてきっちりとかみあう突起を設けることにより固定力が向上し、滑動を防止出来るため、ねじ溝（６）の保護にもつながる。摺動あご（５）の貫通穴（８）の断面詳細図である図２及び、図３を参照して、貫通穴に設ける突起の実施例を挙げる。図２は固定時、図３は摺動時をそれぞれ表している。固定が必要とされる摺動あご（５）の貫通穴（８）の両端には、締め付け面（７）側においては主杆軸（１）の背側に、また締め付け面と反対の面側においては、主杆軸（１）の腹側に、それぞれ主杆軸（１）に設けたねじ溝（６）に合わせた突起（９）を刻み、これによって摺動あご（５）に締め付けの力がかかったときには主杆軸（１）のねじ溝（６）と摺動あご（５）の貫通穴（８）に設けた突起（９）がかみ合い、主杆軸（１）上にしっかりと固定される。締め付けの力がかからないときは、摺動あご（５）を傾けることにより、主杆軸（１）のねじ溝（６）と摺動あご（５）の貫通穴（８）に設けた突起（９）がかみ合うことなく、自由に主杆軸（１）上を摺動させることができるようになる。
【実施例２】
【００１６】
次に、はた金の軸方向からの見下げ図である図４、図５及び図６を参照して、主杆軸（１）の並列の実施例を挙げる。図４は主杆軸（１）を二本とした場合の例で、主杆軸（１）を曲げの耐力方向へ幅を広げて配置することで、その効果を発揮する。このとき、軸長が大きくなれば、ねじれにより作業性が悪くなるため、二本の主杆軸（１）を保持するねじれ止めを入れることが効果的である。また、さらに幅方向に並列本数を増やすことで、より安定した締め付け力が得られる。図５及び図６は主杆軸（１）を三本とした場合の例で、軸が三角柱状となるように並列させた。この形状は、前記の二本並列と比較して当然重くなるが、より安定した締め付け力を得ることが出来、ねじれにくいという特徴がある。図４のように、はた金の腹側に主杆軸（１）を二本配置した場合、締め付ける対象物への装着の安定性が増す。一方、図５のように、はた金の背側に主杆軸（１）を二本配置した場合、はた金自身の設置の安定性が増し、床や台など平面上に設置しての作業に便利である。これらの複軸の場合も、摺動あご（５）の固定機構は前項同様、単純なままで、作業が煩雑になることも無い。
【実施例３】
【００１７】
また、主杆軸（１）の固定部材（２）に雌ねじを設けることで、簡単に各部品が取替え出来るようになる。主杆軸（１）に使用できる長ねじの実施例を以下に挙げる。一般に寸切ボルトとして流通する鉄製の長ねじは、安価で入手しやすいことから、このはた金の主杆軸（１）の一番基本的なパターンとして考えられる。より安定した強度や、剛性が必要な場合はステンレスや各種合金製、また軽量性やカラーバリエーションなどの面からアルミニウム製、プラスチック製なども考えられ、その径の選択なども含めると、これまでの締め具では類の無いバリエーションの豊富さを実現することが出来、技術的な合理性だけでなく消費者の購買意欲をそそることも期待できる。
【実施例４】
【００１８】
一方、はた金機能の延長として、主杆軸（１）のねじを安定した台や構造物へ固定することにより、支持金物としても利用できる。実施例としては、壁面に設けられた雌ねじのアンカーに、このはた金の主杆軸（１）をねじ込むことで、はた金自身が動かず、簡単な壁付けのバイスとして使用できる。同様に天井からの吊り下げ金物としても使用できる。
【実施例５】
【００１９】
その他、ねじ用の部材が幅広く利用出来る。簡単な利用例としては、主杆軸（１）の軸尻に袋ナットを取り付けることにより、主杆軸（１）先端の養生と摺動あご（５）の脱落防止が容易に行える。
【産業上の利用可能性】
【００２０】
この類の締め具は主に木工産業において、部品の接着時の固定やその他締め付けの作業のために広く使われており、必要不可欠なものとなっている。本発明は、簡単で解りやすい作りのまま、従来の製品の欠点を多数補うものであり、やがては従来製品に取って代わり利用される可能性があると思われる。また、はた金本来の使用目的にとどまらず、使用者の工夫により利用の幅が広がることも期待できる。
【図面の簡単な説明】
【００２１】
【図１】本発明の実施形態の正面図。
【図２】摺動あご（５）の貫通穴（８）部の断面図。（固定時）
【図３】摺動あご（５）の貫通穴（８）部の断面図。（摺動時）
【図４】本発明の実施形態の軸方向からの見下げ図（二本軸の例）
【図５】本発明の実施形態の軸方向からの見下げ図（三本軸の例１）
【図６】本発明の実施形態の軸方向からの見下げ図（三本軸の例２）
【符号の説明】
【００２２】
１  主杆軸
２  主杆軸の固定部材
３  締め付けねじ
４  摺動あご（締め付け側）
５  摺動あご（固定側）
６  ねじ溝
７  締め付け面
８  貫通穴
９  ねじ溝に合わせた突起
【図１】
2009269160.tif 000003
【図２】
2009269160.tif 000004
【図３】
2009269160.tif 000005
【図４】
2009269160.tif 000006
【図５】
2009269160.tif 000007
【図６】
2009269160.tif 000008